(57)【要約】【課題】  回路規模の増大を抑制しつつ、妨害波による受信品質の劣化を抑制する。【解決手段】  イメージ妨害評価回路６は、受信周波数の上側または下側の周波数に局部発振周波数を設定した時の中間周波信号のイメージ妨害の評価を行い、上側・下側指示回路７は、イメージ妨害評価回路６からのイメージ妨害の評価結果に基づいて、受信周波数の上側または下側のいずれか一方の周波数を局部発振周波数として局部発振器４に指示する。【選択図】      図１
2005303587.tif 000002
【特許請求の範囲】
【請求項１】
局部発振信号を生成する局部発振器と、
前記局部発振信号を受信信号に混合することにより、前記受信信号を中間周波信号に変換する周波数変換部と、
前記中間周波信号に基づいてイメージ妨害を評価するイメージ妨害評価回路と、
前記イメージ妨害の評価結果に基づいて、受信周波数の上側または下側のいずれか一方の周波数を局部発振周波数として前記局部発振器に指示する上側・下側指示回路とを備えることを特徴とする受信装置。
【請求項２】
前記イメージ妨害評価回路は、
前記受信周波数の上側の周波数に局部発振周波数を設定した時のイメージ周波数が受信信号の帯域内にあるかを判定する第１判定部と、
前記受信周波数の下側の周波数に局部発振周波数を設定した時のイメージ周波数が受信信号の帯域内にあるかを判定する第２判定部とを備え、
前記上側・下側指示回路は、前記イメージ周波数が受信信号の帯域内にない方の局部発振周波数を前記局部発振器に出力するように指示することを特徴とする請求項１記載の受信装置。
【請求項３】
前記イメージ妨害評価回路は、
前記受信周波数の上側の周波数に局部発振周波数を設定した時の局発イメージ波を抽出する上側局発イメージ波抽出部と、
前記受信周波数の下側の周波数に局部発振周波数を設定した時の局発イメージ波を抽出する下側局発イメージ波抽出部と、
前記上側および下側局発イメージ波抽出部にてそれぞれ抽出された局発イメージ波の強度を比較する比較部とを備え、
前記上側・下側指示回路は、前記比較部による比較結果に基づいて、受信周波数の上側または下側のいずれか一方の周波数を局部発振周波数として前記局部発振器に指示することを特徴とする請求項１記載の受信装置。
【請求項４】
局部発振信号を生成する局部発振器と、
前記局部発振信号を受信信号に混合することにより、前記受信信号を中間周波信号に変換する周波数変換部と、
前記周波数変換部にて変換された中間周波信号を復調する復調部と、
前記復調部にて復調された信号に基づいて前記受信信号の受信品質を評価する受信品質評価回路と、
前記受信品質の評価結果に基づいて、受信周波数の上側または下側のいずれか一方の周波数を局部発振周波数として前記局部発振器に指示する上側・下側指示回路とを備えることを特徴とする受信装置。
【請求項５】
前記受信品質評価回路は、
前記復調部にて復調された信号の誤り訂正を行う誤り訂正部と、
前記誤り訂正部にて行われた誤り訂正の誤り率を検出する誤り率検出部とを備え、
前記上側・下側指示回路は、前記誤り率検出部にて検出された誤り率に基づいて、受信周波数の上側または下側のいずれか一方の周波数を局部発振周波数として前記局部発振器に指示することを特徴とする請求項４記載の受信装置。
【請求項６】
第１局部発振信号を生成する第１局部発振器と、
前記第１局部発振信号を受信信号に混合することにより、前記受信信号を第１中間周波信号に変換する第１周波数変換部と、
第２局部発振信号を生成する第２局部発振器と、
前記第２局部発振信号を前記第１中間周波信号に混合することにより、前記第１中間周波信号を第２中間周波信号に変換する第２周波数変換部と、
前記第１中間周波信号に基づいてイメージ妨害を評価するイメージ妨害評価回路と、
前記イメージ妨害の評価結果に基づいて、受信周波数の上側または下側のいずれか一方の周波数を第１局部発振周波数として前記第１局部発振器に指示するとともに、第１中間周波数の上側または下側のいずれか一方の周波数を第２局部発振周波数として前記第２局部発振器に指示する上側・下側指示回路とを備えることを特徴とする受信装置。
【請求項７】
第１局部発振信号を生成する第１局部発振器と、
前記第１局部発振信号を受信信号に混合することにより、前記受信信号を第１中間周波信号に変換する第１周波数変換部と、
第２局部発振信号を生成する第２局部発振器と、
前記第２局部発振信号を前記第１中間周波信号に混合することにより、前記第１中間周波信号を第２中間周波信号に変換する第２周波数変換部と、
前記第２周波数変換部にて変換された第２中間周波信号を復調する復調部と、
前記復調部にて復調された信号に基づいて前記受信信号の受信品質を評価する受信品質評価回路と、
前記受信品質の評価結果に基づいて、受信周波数の上側または下側のいずれか一方の周波数を第１局部発振周波数として前記第１局部発振器に指示するとともに、第１中間周波数の上側または下側のいずれか一方の周波数を第２局部発振周波数として前記第２局部発振器に指示する上側・下側指示回路とを備えることを特徴とする受信装置。
【請求項８】
前記上側・下側指示回路は、受信周波数の上側の周波数を第１局部発振周波数として選択した場合は、第１中間周波数の上側の周波数を第２局部発振周波数として選択し、受信周波数の下側の周波数を第１局部発振周波数として選択した場合は、第１中間周波数の下側の周波数を第２局部発振周波数として選択することを特徴とする請求項６または７記載の受信装置。
【請求項９】
アナログ受信周波数の上側の周波数を局部発振周波とする第１局部発振信号を生成する第１局部発振器と、
前記第１局部発振器にて生成された第１局部発振信号をアナログ受信信号に混合することにより、前記アナログ受信信号を第１アナログ中間周波信号に変換する第１アナログ周波数変換部と、
前記第１局部発振器にて生成された第１局部発振信号をデジタル受信信号に混合することにより、前記デジタル受信信号を第１デジタル中間周波信号に変換する第１デジタル周波数変換部と、
前記第１デジタル中間周波信号の上側の周波数を局部発振周波とする第２局部発振信号を生成する第２局部発振器と、
前記第２局部発振信号を前記第１デジタル中間周波信号に混合することにより、前記第１デジタル中間周波信号を第２デジタル中間周波信号に変換する第２デジタル周波数変換部とを備えることを特徴とする受信装置。
【発明の詳細な説明】
【技術分野】
【０００１】
本発明は受信装置に関し、特に、ダブルスーパー方式のスーパーヘテロダイン受信機に適用して好適なものである。
【背景技術】
【０００２】
スーパーヘテロダイン受信機では、受信信号に局部発振信号を混合し、その受信信号を中間周波信号に変換することにより、感度などの特性の向上を図ることが行われている。なお、受信信号を中間周波信号に変換する場合、受信周波数の上側または下側のいずれか一方の周波数を局部発振周波数として用いることができる。
ここで、スーパーヘテロダイン方式では、受信信号を中間周波信号に変換すると、受信周波数を中心として局部発振周波数と対称な妨害波（局発イメージ波）も受信される。そして、この局発イメージ波が受信周波数帯域内またはその近傍に存在すると、この局発イメージ波による妨害を受け、受信品質が劣化する。
【０００３】
また、特許文献１には、局発イメージ波による受信品質の劣化を抑制するため、受信周波数帯域を上側周波数帯と下側周波数帯に分割し、上側周波数帯を受信するときには、受信周波数の下側の局部発振周波数に切り替え、下側周波数帯を受信するときには、受信周波数の上側の局部発振周波数に切り替えることにより、局発イメージ波を受信周波数帯域から遠ざける方法が開示されている。
【０００４】
また、特許文献２には、局部発振回路の発振周波数の周波数可変幅を狭くするために、受信信号の上側に局部発振信号を配置して受信する方式と、受信信号の下側に局部発振信号を配置して受信する方式とを、受信周波数により切り替える方法が開示されている。
【特許文献１】特開平６−１０４７８８号公報
【特許文献２】特開平５−２５９９３０号公報
【発明の開示】
【発明が解決しようとする課題】
【０００５】
しかしながら、特許文献１、２に開示された方法では、受信周波数の上側または下側の切り替えが受信周波数に基づいて行われ、周囲の受信状況の変化には対応できないという問題があった。
また、局部発振周波数として受信周波数の上側の周波数が選択された場合、中間周波信号の極性反転が発生する。このため、特許文献１、２に開示された方法では、この極性反転を元に戻すために、極性反転回路を別途付加する必要があり、コスト、サイズおよび消費電力の増大を招くという問題があった。
【０００６】
そこで、本発明の目的は、回路規模の増大を抑制しつつ、妨害波による受信品質の劣化を抑制することが可能な受信装置を提供することである。
【課題を解決するための手段】
【０００７】
上述した課題を解決するために、本発明の一態様に係る受信装置によれば、局部発振信号を生成する局部発振器と、前記局部発振信号を受信信号に混合することにより、前記受信信号を中間周波信号に変換する周波数変換部と、前記中間周波信号に基づいてイメージ妨害を評価するイメージ妨害評価回路と、前記イメージ妨害の評価結果に基づいて、受信周波数の上側または下側のいずれか一方の周波数を局部発振周波数として前記局部発振器に指示する上側・下側指示回路とを備えることを特徴とする。
【０００８】
これにより、周囲の受信状況の変化に対応しつつ、局発イメージ波による妨害の少ない方の局部発振周波数を選択することが可能となり、様々の環境の変化に対応しつつ、局発イメージ波による妨害を軽減することができる。
また、本発明の一態様に係る受信装置によれば、前記イメージ妨害評価回路は、前記受信周波数の上側の周波数に局部発振周波数を設定した時のイメージ周波数が受信信号の帯域内にあるかを判定する第１判定部と、前記受信周波数の下側の周波数に局部発振周波数を設定した時のイメージ周波数が受信信号の帯域内にあるかを判定する第２判定部とを備え、前記上側・下側指示回路は、前記イメージ周波数が受信信号の帯域内にない方の局部発振周波数を前記局部発振器に出力するように指示することを特徴とする。
【０００９】
これにより、局発イメージ波による妨害の少ない方の局部発振周波数を選択することが可能となり、局発イメージ波による妨害を軽減することができる。
また、本発明の一態様に係る受信装置によれば、前記イメージ妨害評価回路は、前記受信周波数の上側の周波数に局部発振周波数を設定した時の局発イメージ波を抽出する上側局発イメージ波抽出部と、前記受信周波数の下側の周波数に局部発振周波数を設定した時の局発イメージ波を抽出する下側局発イメージ波抽出部と、前記上側およびと下側局発イメージ波抽出部にてそれぞれ抽出された局発イメージ波の強度を比較する比較部とを備え、前記上側・下側指示回路は、前記比較部による比較結果に基づいて、受信周波数の上側または下側のいずれか一方の周波数を局部発振周波数として前記局部発振器に指示することを特徴とする。
【００１０】
これにより、局発イメージ波による妨害の程度を精度よく評価することが可能となり、局発イメージ波による妨害の少ない方の局部発振周波数を精度よく選択することを可能として、局発イメージ波による妨害を軽減することができる。
また、本発明の一態様に係る受信装置によれば、局部発振信号を生成する局部発振器と、前記局部発振信号を受信信号に混合することにより、前記受信信号を中間周波信号に変換する周波数変換部と、前記周波数変換部にて変換された中間周波信号を復調する復調部と、前記復調部にて復調された信号に基づいて前記受信信号の受信品質を評価する受信品質評価回路と、前記受信品質の評価結果に基づいて、受信周波数の上側または下側のいずれか一方の周波数を局部発振周波数として前記局部発振器に指示する上側・下側指示回路とを備えることを特徴とする。
【００１１】
これにより、周囲の受信状況の変化に対応しつつ、受信品質の劣化の少ない方の局部発振周波数を選択することが可能となり、様々の環境の変化に対応しつつ、受信品質を向上させることができる。
また、本発明の一態様に係る受信装置によれば、前記受信品質評価回路は、前記復調部にて復調された信号の誤り訂正を行う誤り訂正部と、前記誤り訂正部にて行われた誤り訂正の誤り率を検出する誤り率検出部とを備え、前記上側・下側指示回路は、前記誤り率検出部にて検出された誤り率に基づいて、受信周波数の上側または下側のいずれか一方の周波数を局部発振周波数として前記局部発振器に指示することを特徴とする。
【００１２】
これにより、局発イメージ波などの妨害波の影響を考慮しつつ、局部発振周波数を選択することが可能となり、様々の環境の変化に対応しつつ、受信品質を向上させることができる。
また、本発明の一態様に係る受信装置によれば、第１局部発振信号を生成する第１局部発振器と、前記第１局部発振信号を受信信号に混合することにより、前記受信信号を第１中間周波信号に変換する第１周波数変換部と、第２局部発振信号を生成する第２局部発振器と、前記第２局部発振信号を前記第１中間周波信号に混合することにより、前記第１中間周波信号を第２中間周波信号に変換する第２周波数変換部と、前記第１中間周波信号に基づいてイメージ妨害を評価するイメージ妨害評価回路と、前記イメージ妨害の評価結果に基づいて、受信周波数の上側または下側のいずれか一方の周波数を第１局部発振周波数として前記第１局部発振器に指示するとともに、第１中間周波数の上側または下側のいずれか一方の周波数を第２局部発振周波数として前記第２局部発振器に指示する上側・下側指示回路とを備えることを特徴とする。
【００１３】
これにより、ダブルスーパー方式の場合においても、周囲の受信状況の変化に対応しつつ、局発イメージ波による妨害の少ない方の局部発振周波数を選択することが可能となり、様々の環境の変化に対応しつつ、局発イメージ波による妨害を軽減することができる。
また、本発明の一態様に係る受信装置によれば、第１局部発振信号を生成する第１局部発振器と、前記第１局部発振信号を受信信号に混合することにより、前記受信信号を第１中間周波信号に変換する第１周波数変換部と、第２局部発振信号を生成する第２局部発振器と、前記第２局部発振信号を前記第１中間周波信号に混合することにより、前記第１中間周波信号を第２中間周波信号に変換する第２周波数変換部と、前記第２周波数変換部にて変換された第２中間周波信号を復調する復調部と、前記復調部にて復調された信号に基づいて前記受信信号の受信品質を評価する受信品質評価回路と、前記受信品質の評価結果に基づいて、受信周波数の上側または下側のいずれか一方の周波数を第１局部発振周波数として前記第１局部発振器に指示するとともに、第１中間周波数の上側または下側のいずれか一方の周波数を第２局部発振周波数として前記第２局部発振器に指示する上側・下側指示回路とを備えることを特徴とする。
【００１４】
これにより、ダブルスーパー方式の場合においても、局発イメージ波などの妨害波の影響を考慮しつつ、受信品質の劣化の少ない方の局部発振周波数を選択することが可能となる。このため、様々の環境の変化に対応しつつ、受信品質を向上させることができる。
また、本発明の一態様に係る受信装置によれば、前記上側・下側指示回路は、受信周波数の上側の周波数を第１局部発振周波数として選択した場合は、第１中間周波数の上側の周波数を第２局部発振周波数として選択し、受信周波数の下側の周波数を第１局部発振周波数として選択した場合は、第１中間周波数の下側の周波数を第２局部発振周波数として選択することを特徴とする。
【００１５】
これにより、中間周波信号の極性反転がない場合は極性反転がない状態を維持しつつ、周波数変換を行うことが可能となるとともに、中間周波信号の極性反転がある場合においても、周波数変換の過程内で極性反転を元に戻すことができる。このため、受信周波数の上側または下側の切り替えが行われる場合においても、極性反転を元に戻すための極性反転回路を別途付加する必要がなくなり、回路規模の増大を抑制しつつ、妨害波による受信品質の劣化を抑制することが可能となる。
【００１６】
また、本発明の一態様に係る受信装置によれば、アナログ受信周波数の上側の周波数を局部発振周波とする第１局部発振信号を生成する第１局部発振器と、前記第１局部発振器にて生成された第１局部発振信号をアナログ受信信号に混合することにより、前記アナログ受信信号を第１アナログ中間周波信号に変換する第１アナログ周波数変換部と、前記第１局部発振器にて生成された第１局部発振信号をデジタル受信信号に混合することにより、前記デジタル受信信号を第１デジタル中間周波信号に変換する第１デジタル周波数変換部と、前記第１デジタル中間周波信号の上側の周波数を局部発振周波とする第２局部発振信号を生成する第２局部発振器と、前記第２局部発振信号を前記第１デジタル中間周波信号に混合することにより、前記第１デジタル中間周波信号を第２デジタル中間周波信号に変換する第２デジタル周波数変換部とを備えることを特徴とする。
【００１７】
これにより、既存のアナログ放送方式に対応しつつ、第１アナログ周波数変換部と第１デジタル周波数変換部とで局部発振器を共用することが可能となるとともに、第１デジタル中間周波信号を第２デジタル中間周波信号に変換する際に、第１デジタル中間周波信号の生成時に生じた極性反転を元に戻すことができる。このため、アナログ放送とデジタル放送の両方式に対応させた場合においても、極性反転を元に戻すための極性反転回路を別途付加することなく、局部発振器の個数を減らすことが可能となり、コスト、サイズおよび消費電力の増大を抑制することができる。
【発明を実施するための最良の形態】
【００１８】
以下、本発明の実施形態に係る受信装置について図面を参照しながら説明する。
図１は、本発明の第１実施形態に係る受信装置の概略構成を示すブロック図である。
図１において、受信装置には、電波を受信するアンテナ１、局部発振器４にて生成された局部発振信号を受信信号に混合することにより、受信信号を中間周波信号に変換する混合器２、中間周波フィルタ（バンドパスフィルタ）が設けられた中間周波増幅回路３、局部発振信号を生成する局部発振器４、中間周波信号の復調処理を行う復調部５、中間周波信号に基づいてイメージ妨害を評価するイメージ妨害評価回路６、イメージ妨害の評価結果に基づいて、受信周波数の上側または下側のいずれか一方の周波数を局部発振周波数として局部発振器４に指示する上側・下側指示回路７が設けられている。なお、アンテナ１にて受信される受信信号は、アナログテレビ放送、地上デジタル放送などを挙げることができ、周波数帯としては、ＶＨＦ帯またはＵＨＦ帯のいずれでもよい。
【００１９】
そして、アンテナ１にて受信された受信信号は混合器２に送られるとともに、混合器２には、局部発振器４にて生成された局部発振信号が出力される。ここで、局部発振信号の局部発振周波数としては、受信周波数の上側または下側のいずれか一方の周波数に設定することができる。そして、受信信号が混合器２に送られると、混合器２にて局部発振信号と混合され、希望受信信号が中間周波信号に変換される。この際、受信周波数を中心として局部発振周波数と対称な局発イメージ信号が受信される。すなわち、局部発振周波数をｆLO、希望受信周波数をｆ0とすると、中間周波数ｆIF＝ｆLO−ｆ0の中間周波信号が混合器２から出力されるとともに、イメージ周波数ｆimage＝ｆLO＋ｆIFの局発イメージ信号も中間周波数に変換されて混合器２から出力される。
【００２０】
そして、混合器２にて生成された希望受信信号の中間周波信号は、局発イメージ信号の中間周波信号とともに中間周波増幅回路３に送られる。そして、これらの信号のフィルタリングおよび増幅が中間周波増幅回路３にて行われた後、復調部５にて復調処理が行われる。また、中間周波増幅回路３から出力された信号はイメージ妨害評価回路６に出力され、イメージ妨害評価回路６にて中間周波信号のイメージ妨害の評価が行われる。
【００２１】
ここで、イメージ妨害の評価を行う方法としては、以下の方法が考えられる。受信周波数の上側の周波数に局部発振周波数を設定した時のイメージ周波数が受信信号の帯域内にあるかを判定するとともに、受信周波数の下側の周波数に局部発振周波数を設定した時のイメージ周波数が受信信号の帯域内にあるかを判定することができる。
または、受信周波数の上側の周波数に局部発振周波数を設定した時の局発イメージ信号を抽出するとともに、受信周波数の下側の周波数に局部発振周波数を設定した時の局発イメージ信号を抽出する。そして、これらの局発イメージ信号の強度を比較することにより、受信周波数の上側または下側のうち、どちらの周波数の局発イメージ信号の強度が大きいかを調べることができる。
【００２２】
あるいは、受信周波数の上側の周波数に局部発振周波数を設定した時の希望受信信号の中間周波信号、および局発イメージ信号の中間周波信号を抽出し、この時の二つ信号の比を算出する。また、受信周波数の下側の周波数に局部発振周波数を設定した時の希望受信信号の中間周波信号、および局発イメージ信号の中間周波信号を抽出し、この時の二つ信号の比を算出する。そして、受信周波数の上側または下側のうち、どちらの周波数において局発イメージ信号の中間周波信号に対する希望受信信号の中間周波信号の強度が大きいかを調べることができる。
【００２３】
そして、イメージ妨害評価回路６は、中間周波信号のイメージ妨害の評価を行うと、その評価結果を上側・下側指示回路７に伝える。そして、上側・下側指示回路７は、イメージ妨害評価回路６からイメージ妨害の評価結果を受けると、その評価結果に基づいて、受信周波数の上側または下側のいずれか一方の周波数を局部発振周波数として局部発振器４に指示する。例えば、上側・下側指示回路７は、イメージ妨害評価回路６による評価結果に基づいて、イメージ周波数が受信信号の帯域内にない方の局部発振周波数を局部発振器４に出力するように指示することができる。
【００２４】
これにより、局部発振器４は、受信周波数の上側または下側のいずれか一方の周波数のうち、中間周波信号のイメージ妨害の少ない方の周波数を選択して混合器２に出力することができ、受信品質を向上させることができる。
図２は、本発明の第２実施形態に係る受信装置の概略構成を示すブロック図である。
図２において、受信装置には、電波を受信するアンテナ１１、局部発振器１６にて生成された第１局部発振信号を受信信号に混合することにより、受信信号を第１中間周波信号に変換する混合器１２、中間周波フィルタが設けられた第１中間周波増幅回路１３、第１局部発振信号を生成する局部発振器１６、第１中間周波信号を第２中間周波信号に変換する混合器１４、中間周波フィルタが設けられた第２中間周波増幅回路１５、第２局部発振信号を生成する局部発振器１７、第２中間周波信号の復調処理を行う復調部１８、第１中間周波信号に基づいてイメージ妨害を評価するイメージ妨害評価回路１９、イメージ妨害の評価結果に基づいて、受信周波数の上側または下側のいずれか一方の周波数を局部発振周波数として局部発振器１６、１７に指示する上側・下側指示回路２０が設けられている。
【００２５】
そして、アンテナ１１にて受信された受信信号は混合器１２に送られるとともに、混合器１２には、局部発振器１６にて生成された第１局部発振信号が出力される。ここで、第１局部発振信号の局部発振周波数としては、受信周波数の上側または下側のいずれか一方の周波数に設定することができる。そして、受信信号が混合器１２に送られると、混合器１２にて第１局部発振信号と混合され、受信信号が第１中間周波信号に変換される。この際、受信周波数を中心として第１局部発振周波数と対称な局発イメージ信号が受信される。
【００２６】
そして、混合器１２にて生成された第１中間周波信号は、局発イメージ信号とともに第１中間周波増幅回路１３に送られる。そして、これらの信号のフィルタリングおよび増幅が第１中間周波増幅回路１３にて行われた後、混合器１４に送られる。また、混合器１４には、局部発振器１７にて生成された第２局部発振信号が出力される。ここで、第２局部発振信号の局部発振周波数としては、第１中間周波数の上側または下側のいずれか一方の周波数に設定することができる。そして、第１中間周波信号が混合器１４に送られると、混合器１４にて第２局部発振信号と混合され、第１中間周波信号が第２中間周波信号に変換される。
【００２７】
そして、混合器１４にて生成された第２中間周波信号は第２中間周波増幅回路１５に送られる。そして、これらの信号のフィルタリングおよび増幅が第２中間周波増幅回路１５にて行われた後、復調部１８にて復調処理が行われる。また、第１中間周波増幅回路１３から出力された信号はイメージ妨害評価回路１９に出力され、イメージ妨害評価回路１９にて第１中間周波信号のイメージ妨害の評価が行われる。
【００２８】
そして、イメージ妨害評価回路１９は、第１中間周波信号のイメージ妨害の評価を行うと、その評価結果を上側・下側指示回路２０に伝える。そして、上側・下側指示回路２０は、イメージ妨害評価回路１９からイメージ妨害の評価結果を受けると、その評価結果に基づいて、受信周波数の上側または下側のいずれか一方の周波数を局部発振周波数として局部発振器１６、１７に指示する。
【００２９】
これにより、ダブルスーパー方式の場合においても、局発イメージ波による妨害の少ない方の局部発振周波数を選択することが可能となり、局発イメージ波による妨害を軽減することができる。
また、上側・下側指示回路２０は、受信周波数の上側の周波数を第１局部発振周波数として局部発振器１６に指示した場合は、第１中間周波数の上側の周波数を第２局部発振周波数として局部発振器１７に指示し、受信周波数の下側の周波数を第１局部発振周波数として局部発振器１６に指示した場合は、第１中間周波数の下側の周波数を第２局部発振周波数として局部発振器１７に指示することができる。
【００３０】
これにより、第１中間周波信号の極性反転がない場合は、第２中間周波信号の極性反転がない状態を維持することが可能となるとともに、第１中間周波信号の極性反転がある場合には、第２中間周波信号の極性反転を起こさせることを可能として、極性反転を元に戻すことができる。このため、受信周波数の上側または下側の切り替えが行われる場合においても、極性反転を元に戻すための極性反転回路を別途付加する必要がなくなり、回路規模の増大を抑制しつつ、妨害波による受信品質の劣化を抑制することが可能となる。
【００３１】
図３は、本発明の第３実施形態に係る受信装置の概略構成を示すブロック図である。なお、この第３実施形態では、地上デジタル放送を例にとって説明する。
図３において、受信装置には、電波を受信するアンテナ２１、局部発振器２６にて生成された第１局部発振信号を受信信号に混合することにより、受信信号を第１中間周波信号に変換する混合器２２、中間周波フィルタが設けられた第１中間周波増幅回路２３、第１局部発振信号を生成する局部発振器２６、第１中間周波信号を第２中間周波信号に変換する混合器２４、中間周波フィルタが設けられた第２中間周波増幅回路２５、第２局部発振信号を生成する局部発振器２７、第２中間周波信号のＯＦＤＭ（Ｏｒｔｈｏｇｏｎａｌ  Ｆｒｅｑｕｅｎｃｙ  Ｄｉｖｉｓｉｏｎ  Ｍｕｔｉｐｌｅｘｉｎｇ）復調処理を行うＯＦＤＭ復調部２８、ＯＦＤＭ復調部２８で復調されたデジタル信号の誤り訂正を行う誤り訂正部２９、ＭＰＥＧ方式による復調処理を行うＭＰＥＧ復調部３０、誤り訂正部２９にて誤り訂正された信号の誤り率を検出する誤り率検出部３１、受信周波数の上側または下側のいずれか一方の周波数に局部発振周波数が設定された時の誤り率を比較する比較器３２、誤り率に基づいて受信周波数の上側または下側のいずれか一方の周波数を局部発振周波数として局部発振器２６、２７に指示する上側・下側指示回路３３が設けられている。
【００３２】
そして、アンテナ２１にて受信された受信信号は混合器２２に送られるとともに、混合器２２には、局部発振器２６にて生成された第１局部発振信号が出力される。そして、受信信号が混合器２２に送られると、混合器２２にて第１局部発振信号と混合され、受信信号が第１中間周波信号に変換される。
そして、混合器２２にて生成された第１中間周波信号は、局発イメージ信号とともに第１中間周波増幅回路２３に送られる。そして、これらの信号のフィルタリングおよび増幅が第１中間周波増幅回路２３にて行われた後、混合器２４に送られる。また、混合器２４には、局部発振器２７にて生成された第２局部発振信号が出力される。そして、第１中間周波信号が混合器２４に送られると、混合器２４にて第２局部発振信号と混合され、第１中間周波信号が第２中間周波信号に変換される。
【００３３】
そして、混合器２４にて生成された第２中間周波信号は第２中間周波増幅回路２５に送られる。そして、これらの信号のフィルタリングおよび増幅が第２中間周波増幅回路２５にて行われた後、ＯＦＤＭ復調部２８にて復調処理が行われる。そして、ＯＦＤＭ復調部２８にて復調されたデジタル信号は、誤り訂正部２９にて誤り訂正が行われた後、ＭＰＥＧ復調部３０にて映像信号および音声信号に復調される。
【００３４】
また、誤り率検出部３１は、誤り訂正部２９にて誤り訂正が行われると、その時の誤り率を検出する。そして、誤り率検出部３１にて誤り率が検出されると、比較器３２にて、第１局部発振周波数を受信周波数の上側に設定した時と下側に設定した時の誤り率の比較が行なわれる。そして、比較器３２は、第１局部発振周波数を受信周波数の上側に設定した時と下側に設定した時の誤り率の比較を行うと、その比較結果を上側・下側指示回路３３に伝える。そして、上側・下側指示回路３３は、比較器３２から誤り率の比較結果を受けると、その比較結果に基づいて、受信周波数の上側または下側のいずれか一方の周波数を局部発振周波数として局部発振器２６、２７に指示する。例えば、上側・下側指示回路３３は、誤り率の低い方の局部発振周波数を局部発振器２６、２７に出力するように指示することができる。
【００３５】
これにより、ダブルスーパー方式の場合においても、妨害波の電波の影響も考慮しつつ、受信品質の劣化の少ない方の局部発振周波数を選択することが可能となる。このため、様々の環境の変化に対応しつつ、受信品質を向上させることができる。
なお、上述した第３実施形態では、ダブルスーパー方式の場合を例にとって説明したが、図１のシングルスーパー方式についても、ビット誤り率に基づいて局部発振周波数を選択するようにしてもよい。
【００３６】
また、上述した第３実施形態では、ビット誤り率に基づいて局部発振周波数を選択する方法について説明したが、アナログ信号の受信では、信号対雑音比や歪率などを用いるようにしてもよい。
図４は、本発明の第４実施形態に係る受信装置の概略構成を示すブロック図である。なお、この第４実施形態では、アナログ放送と地上デジタル放送とが混在したサイマル放送を例にとって説明する。
【００３７】
図４において、受信装置には、電波を受信するアンテナ４１、局部発振器４６にて生成された第１局部発振信号をデジタル受信信号に混合することにより、デジタル受信信号を第１デジタル中間周波信号に変換するデジタル混合器４２、中間周波フィルタが設けられた第１デジタル中間周波増幅回路４３、第１局部発振信号を生成する局部発振器４６、第１デジタル中間周波信号を第２デジタル中間周波信号に変換する混合器４４、中間周波フィルタが設けられた第２デジタル中間周波増幅回路４５、第２局部発振信号を生成する局部発振器４７、第２デジタル中間周波信号の復調処理を行うデジタル復調部４８、局部発振器４６にて生成された第１局部発振信号をアナログ受信信号に混合することにより、アナログ受信信号を第１アナログ中間周波信号に変換するアナログ混合器４９、中間周波フィルタが設けられた第１アナログ中間周波増幅回路５０、第２アナログ中間周波信号の復調処理を行うアナログ復調部５１が設けられている。
【００３８】
そして、アンテナ４１にて受信されたデジタル受信信号はデジタル混合器４２に送られるとともに、デジタル混合器４２には、局部発振器４６にて生成された第１局部発振信号が出力される。ここで、第１局部発振信号の局部発振周波数としては、受信周波数の上側の周波数に設定することができる。そして、デジタル受信信号がデジタル混合器４２に送られると、デジタル混合器４２にて第１局部発振信号と混合され、デジタル受信信号が第１デジタル中間周波信号に変換される。
【００３９】
そして、デジタル混合器４２にて生成された第１デジタル中間周波信号は第１デジタル中間周波増幅回路４３に送られる。そして、これらの信号のフィルタリングおよび増幅が第１デジタル中間周波増幅回路４３にて行われた後、混合器４４に送られる。また、混合器４４には、局部発振器４７にて生成された第２局部発振信号が出力される。ここで、第２局部発振信号の局部発振周波数としては、第１デジタル中間周波数の上側の周波数に設定することができる。そして、第１デジタル中間周波信号が混合器４４に送られると、混合器４４にて第２局部発振信号と混合され、第１デジタル中間周波信号が第２デジタル中間周波信号に変換される。
【００４０】
そして、混合器４４にて生成された第２デジタル中間周波信号は第２デジタル中間周波増幅回路４５に送られる。そして、これらの信号のフィルタリングおよび増幅が第２デジタル中間周波増幅回路４５にて行われた後、デジタル復調部４８にて復調処理が行われる。
また、アンテナ４１にて受信されたアナログ受信信号はアナログ混合器４９に送られるとともに、アナログ混合器４９には、局部発振器４６にて生成された第１局部発振信号が出力される。そして、アナログ受信信号がアナログ混合器４９に送られると、アナログ混合器４９にて第１局部発振信号と混合され、アナログ受信信号がアナログ中間周波信号に変換される。そして、アナログ混合器４９にて生成されたアナログ中間周波信号はアナログ中間周波増幅回路５０に送られる。そして、これらの信号のフィルタリングおよび増幅がアナログ中間周波増幅回路５０にて行われた後、アナログ復調部５１にて復調処理が行われる。
【００４１】
ここで、アナログ放送では、アナログ混合器４９に混合される局部発振周波数はアナログ受信周波数の上側の周波数に設定されているため、極性反転が発生する。例えば、日本の１ＣＨの場合、ＲＦ帯域においては、映像キャリアが９１．２５ＭＨｚ、音声キャリアが９５．７５ＭＨｚであるのに対し、ＩＦ帯域においては、映像キャリアが５８．７５ＭＨｚ、音声キャリアが５４．２５ＭＨｚであり、周波数配列が逆転する。
【００４２】
一方、地上デジタル放送を受信する場合、アナログ放送に対応させるため、デジタル混合器４２に混合される局部発振周波数をデジタル受信周波数の上側の周波数に設定すると、デジタル受信信号が第１デジタル中間周波信号に変換される時に極性反転が生じる。ここで、混合器４４に混合される局部発振周波数を第１デジタル中間周波数の上側の周波数に設定することにより、第１デジタル中間周波信号が第２デジタル中間周波信号に変換される時に極性反転を再度起こさせることができ、極性を元に戻すことができる。
【００４３】
これにより、既存のアナログ放送方式に対応しつつ、デジタル混合器４２およびアナログ混合器４９とで局部発振器４６を共用することが可能となるとともに、極性反転を元に戻すための極性反転回路を別途付加する必要がなくなる。このため、局部発振器の個数を減らすことが可能となり、設計時間の短縮を図ることが可能となるとともに、コスト、サイズおよび消費電力の増大を抑制することができる。
【図面の簡単な説明】
【００４４】
【図１】本発明の第１実施形態に係る受信装置の概略構成を示すブロック図。
【図２】本発明の第２実施形態に係る受信装置の概略構成を示すブロック図。
【図３】本発明の第３実施形態に係る受信装置の概略構成を示すブロック図。
【図４】本発明の第４実施形態に係る受信装置の概略構成を示すブロック図。
【符号の説明】
【００４５】
１、１１、２１、４１  アンテナ、２、１２、１４、２２、２４、４４  混合器、３  中間周波増幅回路、１３、２３  第１中間周波増幅回路、１５、２５  第２中間周波増幅回路、４、１６、１７、２６、２７、４６、４７、４９  局部発振器、５、１８  復調部、６、１９  イメージ妨害評価回路、７、２０、３３  上側・下側指示回路、２８  ＯＦＤＭ復調部、２９  誤り訂正部、３０  ＭＰＥＧ復調部、３１  誤り率検出部、３２  比較器、４２  デジタル混合器、４３  第１デジタル中間周波増幅回路、４５  第２デジタル中間周波増幅回路、４８  デジタル復調部、４９  アナログ混合器、５０  アナログ中間周波増幅回路、５１  アナログ復調部
【図１】
2005303587.tif 000003
【図２】
2005303587.tif 000004
【図３】
2005303587.tif 000005
【図４】
2005303587.tif 000006